(57)【要約】【課題】可搬型で軽量、かつ被結束物を確実に結束できる構造を備えて、屋外で多様な被結束物を容易に結束できるテープ結束機を提案する。【解決手段】テープ結束機１は、本体部１１に回転自在に支持されるテープ結束回転部１３と、テープ結束回転部１３の回転中心であって粘着テープ２、被結束物Ｏ１、Ｏ２を配置自在な結束空間１８を有するＵ字形の回転体１９と、テープ結束回転部１３を回転させる電動機４６と、本体部１１から延びる可撓な電源線２６と、電源線２６を介して電力を供給する電源部２７と、把持部１２側に引き込まれたレバー２３に連動して結束空間１８に配置される被結束物Ｏ１、Ｏ２が回転体１９から離脱することを阻止し、レバー２３が把持部１２から離れると被結束物Ｏ１、Ｏ２を開放して回転体１９の離脱を許可する被結束物保持機構２５と、を備えている。【選択図】  図４
2015189475.tif 000002
【特許請求の範囲】
【請求項１】
本体部と、
前記本体部に一体の把持部と、
前記本体部に回転自在に支持されるテープ結束回転部と、
前記テープ結束回転部に設けられて被結束物を結束する粘着テープを巻き付けたテープロールを回転自在に保持するテープロール保持部と、
前記テープ結束回転部の回転中心であって前記粘着テープとともに前記被結束物を配置自在な結束空間を回転中心部に有するＵ字形の回転体と、
前記本体部に収容されて前記テープ結束回転部を回転させる駆動力を発生させる電動機と、
前記本体部から延びる可撓な電源線と、
前記電源線を介して前記電動機へ電力を供給する電源部と、
前記把持部と一括して把持自在なレバーと、
前記把持部側に引き込まれた前記レバーに連動して前記結束空間に配置される前記被結束物が前記回転体から離脱することを阻止し、前記レバーが前記把持部から離れると前記被結束物を開放して前記回転体から離脱することを許可する被結束物保持機構と、を備えるテープ結束機。
【請求項２】
前記結束空間に配置される前記被結束物へ前記結束空間を通過する前記粘着テープを押し当てるテープ押圧部を備える請求項１に記載のテープ結束機。
【請求項３】
前記結束空間へ前記被結束物を配置する経路に突出する揺動自在な被結束物出入検知片と、
前記経路から取り出される前記被結束物によって前記被結束物出入検知片が揺動すると前記経路内に侵入して前記被結束物に貼付された前記粘着テープを前記テープロール側で切断するテープ切断機構を備える請求項１または２に記載のテープ結束機。
【請求項４】
前記テープ切断機構は、前記粘着テープが切断される際に前記粘着テープの切断箇所の前記テープロール側に刺さるとともに、前記経路から前記テープ切断機構が退避すると刺さった前記粘着テープを後続の被結束物を結束可能な箇所へ配置するテープ配置針を備える請求項３に記載のテープ結束機。
【請求項５】
前記レバーと前記被結束物保持機構とを連結する連結バネを備える請求項１から４に記載のテープ結束機。
【請求項６】
前記本体部に設けられて前記電動機が発生させる駆動力を前記回転体に伝達して前記テープ結束回転部を回転させる動力伝達機構を備える請求項１から５に記載のテープ結束機。
【請求項７】
前記把持部側に引き込まれた前記レバーによって前記電動機への給電を開始する開閉器を備える請求項１から６に記載のテープ結束機。
【請求項８】
前記テープ結束回転部の回転を検知する回転検知部と、
前記回転検知部の検知結果に基づいて前記電源部から前記電動機への給電を遮断する制御部と、を備える請求項１から７に記載のテープ結束機。
【請求項９】
前記粘着テープは、紙、生分解性樹脂、または非生分解性樹脂を基材とする請求項１から８に記載のテープ結束機。
【発明の詳細な説明】
【技術分野】
【０００１】
本発明に係る実施形態は、テープ結束機に関する。
【背景技術】
【０００２】
長手状の被結束物に粘着テープを巻き付けるＵ字形状の回転体を備えるテープ結束機が知られている。
【０００３】
従来のテープ結束機は、Ｕ字形状の回転体を回転させる減速機付モータを備えている（例えば、特許文献１参照。）。
【先行技術文献】
【特許文献】
【０００４】
【特許文献１】特開昭６３−２４８６１６号公報
【発明の概要】
【発明が解決しようとする課題】
【０００５】
従来のテープ結束機は、減速機付モータを備える一方で、減速機付モータの動力源（例えば電源）をどのように得るのか判然とせず、据え置き状態で使用するのか、可搬できるのか分からない。
【０００６】
ところで、果樹園や園芸農園などの屋外において、枝、茎、および蔓などの被結束物を網、支柱、および棚などの被結束物に粘着テープで結束する場合、被結束物に粘着テープを手作業で巻き付けるよりも、何らかの動力源を利用する可搬型のテープ結束機を用いて被結束物に粘着テープを自動で巻き付けられる方が、作業性が良い。
【０００７】
また、果樹園や園芸農園などの屋外において、動力源を利用する可搬型のテープ結束機を利用する場合には、何らか動力源を備える一方で、作業性を損なわないよう軽快に扱えなければならない。
【０００８】
さらに、枝、茎、および蔓などの被結束物や、網、支柱、および棚などの被結束物は、方向性や太さが様々なため、テープ結束機は、様々な使用態様において被結束物を確実に結束できる構造を備えていることが望まれる。
【０００９】
そこで、本発明は、可搬型で軽量、かつ被結束物を確実に結束できる構造を備えて、屋外で多様な被結束物を容易に結束できるテープ結束機を提案する。
【課題を解決するための手段】
【００１０】
前記の課題を解決するため本発明の実施形態に係るテープ結束機は、本体部と、前記本体部に一体の把持部と、前記本体部に回転自在に支持されるテープ結束回転部と、前記テープ結束回転部に設けられて被結束物を結束する粘着テープを巻き付けたテープロールを回転自在に保持するテープロール保持部と、前記テープ結束回転部の回転中心であって前記粘着テープとともに前記被結束物を配置自在な結束空間を回転中心部に有するＵ字形の回転体と、前記本体部に収容されて前記テープ結束回転部を回転させる駆動力を発生させる電動機と、前記本体部から延びる可撓な電源線と、前記電源線を介して前記電動機へ電力を供給する電源部と、前記把持部と一括して把持自在なレバーと、前記把持部側に引き込まれた前記レバーに連動して前記結束空間に配置される前記被結束物が前記回転体から離脱することを阻止し、前記レバーが前記把持部から離れると前記被結束物を開放して前記回転体から離脱することを許可する被結束物保持機構と、を備えている。
【図面の簡単な説明】
【００１１】
【図１】本発明の実施形態に係るテープ結束機の正面図。
【図２】本発明の実施形態に係るテープ結束機の平面図。
【図３】本発明の実施形態に係るテープ結束機の背面図。
【図４】本発明の実施形態に係るテープ結束機を示す内部構造図。
【図５】本発明の実施形態に係るテープ結束機を示す内部構造図。
【図６】本発明の実施形態に係るテープ結束機の動力伝達機構を示す斜視図。
【図７】本発明の実施形態に係るテープ結束機の制御系統を示すブロック図。
【図８】本発明の実施形態に係るテープ結束機のテープ結束回転部を示す内部構造図。
【図９】本発明の実施形態に係るテープ結束機の結束動作を示す図。
【図１０】本発明の実施形態に係るテープ結束機の結束動作を示す図。
【図１１】本発明の実施形態に係るテープ結束機の結束動作を示す図。
【図１２】本発明の実施形態に係るテープ結束機の結束動作を示す図。
【図１３】本発明の実施形態に係るテープ結束機の結束動作を示す図。
【図１４】本発明の実施形態に係るテープ結束機の結束動作を示す図。
【図１５】本発明の実施形態に係るテープ結束機の結束動作を示す図。
【図１６】本発明の実施形態に係るテープ結束機の結束動作を示す図。
【図１７】本発明の実施形態に係るテープ結束機の結束動作を示す図。
【図１８】本発明の実施形態に係るテープ結束機の結束動作を示す図。
【発明を実施するための形態】
【００１２】
本発明に係るテープ結束機の実施形態について図１から図１８を参照して説明する。
【００１３】
図１は、本発明の実施形態に係るテープ結束機の正面図である。
【００１４】
図２は、本発明の実施形態に係るテープ結束機の平面図である。
【００１５】
図３は、本発明の実施形態に係るテープ結束機の背面図である。
【００１６】
図１から３に示すように、本実施形態に係るテープ結束機１は、主に果樹園や園芸農園などの屋外において、枝、茎、および蔓などの被結束物Ｏ１を網、支柱、および棚などの被結束物Ｏ２に粘着テープ２で結束する際に利用される可搬型である。
【００１７】
テープ結束機１は、本体部１１と、本体部１１に一体の把持部１２と、本体部１１に回転自在に支持されるテープ結束回転部１３と、テープ結束回転部１３に設けられて被結束物Ｏ１、Ｏ２を結束する粘着テープ２を巻き付けたテープロール１６を回転自在に保持するテープロール保持部１７と、テープ結束回転部１３の回転中心であって粘着テープ２とともに被結束物Ｏ１、Ｏ２を配置自在な結束空間１８を回転中心部に有するＵ字形の回転体１９と、把持部１２と一括して把持自在なレバー２３と、把持部側に引き込まれたレバー２３に連動して結束空間１８に配置される被結束物Ｏ１、Ｏ２が回転体１９から離脱することを阻止し、レバー２３が把持部１２から離れると被結束物Ｏ１、Ｏ２を開放して回転体１９から離脱することを許可する被結束物保持機構２５と、本体部１１から延びる可撓な電源線２６と、電源線２６を介して本体部１１へ電力を供給する電源部２７と、を備えている。
【００１８】
本体部１１は、正面側の本体半体１１ａおよび背面側の本体半体１１ｂを組み合わせた中空体である。長手形状の本体部１１は、把持部１２に連接される一方の端部側からテープ結束回転部１３を支持する他方の端部側へと延びている。本体半体１１ａ、１１ｂのそれぞれには、回転体１９の結束空間１８に対応する凹部１１ｃが設けられている。
【００１９】
把持部１２は、テープ結束機１を操作するために使用者が手で把持する部分である。把持部１２は、使用者が手で容易に把持できる適宜の形状を有している。
【００２０】
テープ結束回転部１３は、本体部１１の正面側に配置されている。テープ結束回転部１３の回転中心部は、回転体１９の回転中心部に重なっている。テープ結束回転部１３にも、回転体１９の結束空間１８に対応する適宜の切欠部２８が設けられている。
【００２１】
本体部１１側の凹部１１ｃおよびテープ結束回転部１３側の切欠部２８は、Ｕ字形の回転体１９とともに結束空間１８へ被結束物Ｏ１、Ｏ２を導く開口２９となる。
【００２２】
テープ結束回転部１３も中空体であり、背面側のハウジング３１と、ハウジング３１の正面側に設けられる２つのカバー３２、３３と、を備えている。２つのカバー３２、３３は、粘着テープ２を通過させる隙間３５を隔てて設けられている。テープロール保持部１７から延びる粘着テープ２は、結束以前に結束空間１８へ配置される被結束物Ｏ１、Ｏ２に貼付しやすいよう、初期状態において結束空間１８を横切る態様で配置され、この際にカバー３２、３３間の隙間３５を通過して結束空間１８へ至る。
【００２３】
カバー３２は、正面視においてＬ字形またはＪ字形であって、初期状態に配置される粘着テープ２の非粘着面を臨みつつ、粘着テープ２の先端側を迂回して開口２９の開口縁に至る。
【００２４】
カバー３３は、初期状態に配置される粘着テープ２の粘着面を臨む。また、カバー３３は、切欠部２８の開放端に被結束物Ｏ１、Ｏ２を引っ掛けるようにして開口２９へ導く鉤状の案内爪３６を備えている。
【００２５】
テープロール保持部１７は、テープ結束回転部１３の切欠部２８の側方であって、カバー３２、３３間の隙間３５の側方に配置されてハウジング３１に設けられている。テープロール保持部１７は、テープ結束回転部１３の回転中心線に対して略平行に延びる円筒状の枠体であり、周方向に並ぶ複数のスリット（図示省略）によって縮径してテープロール１６の内径に嵌まり込んでテープロール１６を回転自在に保持する。
【００２６】
回転体１９は、中央部分の結束空間１８から外周部へ開放する開口２９をＵ字形に仕切り、外周部分に歯列を有する歯車である。
【００２７】
レバー２３は、テープ結束機１を操作するために使用者が手指を掛ける部分である。レバー２３は、使用者が手指、特に人差し指、中指、薬指および小指を容易に引っ掛けることのできる適宜の形状を有している。
【００２８】
被結束物保持機構２５は、本体部１１に設けられている。
【００２９】
電源線２６は、把持部１２の末端から延びている。
【００３０】
電源部２７は、例えば使用者の腰ベルトに吊り下げて使用可能な吊下具３７を備えている。電源部２７には、主電源開閉器３８が設けられている。
【００３１】
また、テープ結束機１は、結束空間１８に配置される被結束物Ｏ１、Ｏ２へ結束空間１８を通過する粘着テープ２を押し当てるテープ押圧部３９と、結束空間１８へ被結束物Ｏ１、Ｏ２を配置する開口２９に突出する揺動自在な被結束物出入検知片４１と、を備えている。
【００３２】
テープ押圧部３９は、円弧状または弓状に延びる板状または線状のばねであり、テープ結束回転部１３に設けられて結束空間１８を横切るようにして延びている。
【００３３】
被結束物出入検知片４１は、テープ結束回転部１３に設けられてカバー３２側からカバー３３側へ延びている。被結束物出入検知片４１は、カバー３２側においては開口２９の開口縁から突出して、開口２９の奥側の方へ湾曲しながらカバー３３の案内爪３６の根元に向かって延びている。
【００３４】
粘着テープ２は、紙、生分解性樹脂（オレフィン系、ポリエステル系）、または非生分解性樹脂（オレフィン系、ポリエステル系）を基材とする。また、果樹園や畑でテープ結束機１を利用する場合には、土中環境への影響を考慮して紙、または生分解性樹脂を基材とする粘着テープ２を使用することが好ましい。
【００３５】
次に、テープ結束機１の内部構造を説明する。
【００３６】
図４および図５は、本発明の実施形態に係るテープ結束機を示す内部構造図である。
【００３７】
図６は、本発明の実施形態に係るテープ結束機の動力伝達機構を示す斜視図である。
【００３８】
なお、図４および図５は、本体部１１の本体半体１１ｂを省略している。
【００３９】
図４から図６に示すように、本実施形態に係るテープ結束機１は、レバー２３と被結束物保持機構２５とを連結する連結バネ４５と、本体部１１に収容されてテープ結束回転部１３を回転させる駆動力を発生させる電動機４６と、把持部１２側に引き込まれたレバー２３によって電動機４６への給電を開始する開閉器４７と、本体部１１に設けられて電動機４６が発生させる駆動力を回転体１９に伝達してテープ結束回転部１３を回転させる動力伝達機構４８と、テープ結束回転部１３の回転を検知する回転検知部４９と、を備えている。
【００４０】
先ず、被結束物保持機構２５は、本体部１１に設けられて凹部１１ｃの近傍に配置される支持軸５１と、支持軸５１に揺動自在に支持される被結束物保持部材５２と、被結束物保持部材５２に設けられる第一連結軸５３と、第一連結軸５３に揺動自在に支持されて連結バネ４５へ延びる第一連結棒５５と、連結バネ４５と、連結バネ４５から延びてレバー２３に連結される第二連結棒５６と、レバー２３に第二連結棒５６を揺動自在に支える第二連結軸５７と、連結バネ４５を囲んで保護するスリーブ５８と、を備えている。
【００４１】
被結束物保持部材５２は、支持軸５１を中心に揺動するテコであり、支持軸５１を中心に屈折している。
【００４２】
そして、被結束物保持機構２５は、把持部１２に設けられるレバー軸５９を中心にして把持部１２から最も離れる初期状態のレバー２３（図４）によって、被結束物保持部材５２を開口２９の外側へ揺動させる。他方、被結束物保持機構２５は、レバー軸５９を中心にして把持部１２に最も近づく引き込み状態のレバー２３（図５）によって、被結束物保持部材５２を開口２９の内側へ揺動させる。このとき、レバー２３は、開閉器４７に接触してその電路を閉じて電動機４６へ通電させる。
【００４３】
ところで、被結束物保持部材５２が結束空間１８に押さえ込む被結束物Ｏ１、Ｏ２の太さは、必ずしも一定ではない。このため、第一連結軸５３と第二連結軸５７とを殆ど延びない１本の連結棒だけで連結すると、被結束物Ｏ１、Ｏ２の太さによっては、レバー２３は、引き込み状態へ到達できず、開閉器４７を閉じられなくなる場合がある。
【００４４】
そこで、連結バネ４５は、被結束物Ｏ１、Ｏ２の太さに応じて第一連結軸５３と第二連結軸５７との距離を変化させてレバー２３が引き込み状態に到達することを保証している。
【００４５】
次いで、テープ結束回転部１３の駆動系統について説明する。
【００４６】
電動機４６は、電源線２６を介して電源部２７に電気的に接続されている。電動機４６と電源線２６との間には、開閉器４７が介在している。電動機４６の出力軸は、動力伝達機構４８に接続されている。
【００４７】
動力伝達機構４８は、電動機４６の出力軸に回転一体に設けられる第一傘歯車６１と、第一傘歯車６１に噛み合わされる第二傘歯車６２と、第二傘歯車６２に回転一体に接続される第一駆動歯車６３と、第一駆動歯車６３とともに第二傘歯車６２に回転一体に接続される第一滑車６５と、第一滑車６５に巻き掛けられるベルト６６と、ベルト６６を巻き掛けられて第一滑車６５と同じ回転速度で回転する第二滑車６７と、第二滑車６７に回転一体に接続される第二駆動歯車６８と、を備えている。
【００４８】
第一駆動歯車６３および第二駆動歯車６８は、歯車対６９を成してそれぞれ個別に回転体１９の歯車列に噛み合わされる。歯車対６９は、回転体１９の位相にかかわらず、第一駆動歯車６３および第二駆動歯車６８の少なくともいずれかを必ず回転体１９の歯列に噛み合わせて、回転体１９を円滑に回転させる。
【００４９】
回転体１９は、結束空間１８の周囲に配置される半円弧状の枠体（図示省略）によって本体部１１に回転自在に支持されている。
【００５０】
回転検知部４９は、回転体１９の外周部近傍に設けられる磁石７１と、磁石７１の磁気を検知する磁気センサ７２と、を備えている。回転検知部４９は、磁石７１の磁気を磁気センサ７２で検知して回転体１９の回転、ひいてはテープ結束回転部１３の回転を検知する。
【００５１】
次いで、テープ結束機１の制御系統を説明する。
【００５２】
図７は、本発明の実施形態に係るテープ結束機の制御系統を示すブロック図である。
【００５３】
図７に示すように、本実施形態に係るテープ結束機１は、回転検知部４９の検知結果に基づいて電源部２７から電動機４６への給電を遮断する制御部７３を備えている。
【００５４】
テープ結束機１の主電源開閉器３８、レバー２３に連動される開閉器４７、および電動機４６は、電源部２７に直列的に接続されている。
【００５５】
制御部７３は、電源部２７の電力によって駆動し、回転検知部４９の出力を監視している。そして、制御部７３は、テープ結束回転部１３の回転回数が予め定める回転回数Ｎに達すると、スイッチング素子７５によって電源部２７から電動機４６への電路を開いて電力供給を遮断し、電動機４６を停止させる。
【００５６】
なお、制御部７３は、本体部１１内に設けられていても良いし、電源部２７に設けられていても良い。また、制御部７３は、予め定める回転回数Ｎを任意の回数に変更できる調整装置、例えばダイヤルを備えていても良い。
【００５７】
次いで、本実施形態に係るテープ結束回転部１３の内部構造を説明する。
【００５８】
図８は、本発明の実施形態に係るテープ結束機のテープ結束回転部を示す内部構造図である。なお、図８は、カバー３２、３３を省略している。
【００５９】
図８に示すように、本実施形態に係るテープ結束機１は、テープ押圧部３９および被結束物出入検知片４１の他に、開口２９から取り出される被結束物Ｏ１、Ｏ２によって被結束物出入検知片４１が揺動すると開口２９内に侵入して被結束物Ｏ１、Ｏ２に貼付された粘着テープ２をテープロール１６側で切断するテープ切断機構７７を備えている。
【００６０】
テープ切断機構７７は、被結束物出入検知片４１を揺動自在に支える軸部７８と、軸部７８に揺動自在に支えられる弧状の案内レバー７９と、案内レバー７９の円弧の内側に先端部を接する切断歯支持レバー８１と、切断歯支持レバー８１の先端部に設けられる切断歯８２と、テープロール保持部１７の近傍に設けられて切断歯支持レバー８１を揺動自在に支持する軸部８３と、切断歯支持レバー８１を収納位置へ引き戻す復帰バネ８５と、を備えている。
【００６１】
案内レバー７９は、軸部７８に支持される根元部を中心に揺動する。案内レバー７９は、開口２９に侵入する被結束物Ｏ１、Ｏ２によって被結束物出入検知片４１が開口２９の内側へ倒れ込む揺動には追従せず定位置を保つ一方で、開口２９から離脱する被結束物Ｏ１、Ｏ２によって被結束物出入検知片４１が開口２９の外側へ倒れ込む揺動には追従して揺動する。
【００６２】
切断歯支持レバー８１は、軸部８３に支持される根元部を中心に揺動する。切断歯支持レバー８１は、案内レバー７９が被結束物出入検知片４１に追従して揺動する際、案内レバー７９の円弧の内側に沿って移動するヘッド部８６を先端部に備えている。切断歯支持レバー８１は、案内レバー７９の円弧の内側に沿って移動するヘッド部８６に従って揺動する。
【００６３】
なお、被結束物出入検知片４１は、軸部７８に設けられるバネ８７によって結束空間２１から遠ざかる方向へ押され、案内レバー７９は、切断歯支持レバー８１を介して復帰バネ８５によってテープ結束回転部１３の開口２９から遠ざかる方向へ押されている。
【００６４】
切断歯８２は、切断歯支持レバー８１のヘッド部８６に設けられている。つまり、切断歯８２は、案内レバー７９が被結束物出入検知片４１に追従して揺動する際、案内レバー７９の円弧の内側に沿って移動するヘッド部８６ごと移動する。
【００６５】
また、テープ切断機構７７は、粘着テープ２が切断される際に粘着テープ２の切断箇所のテープロール１６側に刺さるとともに、開口２９からテープ切断機構７７が退避すると刺さった粘着テープ２を後続の被結束物Ｏ１、Ｏ２を結束可能な箇所へ配置するテープ配置針８８を備えている。テープ配置針８８は、切断歯支持レバー８１のヘッド部８６に設けられている。
【００６６】
さらに、テープ切断機構７７は、案内レバー７９と協働してテープ配置針８８に刺さった粘着テープ２をテープロール１６から引き出すテープ引出機構８９を備えている。
【００６７】
テープ引出機構８９は、案内レバー７９の先端部が開口２９を横切りテープロール１６側へ揺動した際に、案内レバー７９の先端部が間を通過する一対の支柱９１、９２を備えている。
【００６８】
また、テープ結束回転部１３には、テープ押圧部３９の反力を支えるバネ座９３が設けられている。
【００６９】
次いで、本実施形態に係るテープ結束機１の結束動作を説明する。
【００７０】
図９から図１８は、本発明の実施形態に係るテープ結束機の結束動作を示す図である。
【００７１】
先ず、図９に示すように、本実施形態に係るテープ結束機１は、使用者によって開口２９内へ被結束物Ｏ１、Ｏ２を配置される。このとき、開口２９の出入口では、結束空間１８側へ倒れ込む被結束物出入検知片４１が、案内爪３６と協働して開口２９内へ被結束物Ｏ１、Ｏ２を円滑に導く。
【００７２】
次いで、図１０に示すように、本実施形態に係るテープ結束機１は、使用者によって結束空間１８へ被結束物Ｏ１、Ｏ２を配置される。このとき、粘着テープ２は、被結束物Ｏ１、Ｏ２とテープ押圧部３９に挟み込まれる。つまり、粘着テープ２の粘着面は、テープ押圧部３９によって押し付けられて被結束物Ｏ１、Ｏ２に貼り付けられる。なお、テープ押圧部３９は、結束空間１８に被結束物Ｏ１、Ｏ２が配置されている状態において最も撓んでいる。
【００７３】
ここまでで、結束の準備が完了する。
【００７４】
次いで、図１１に示すように、本実施形態に係るテープ結束機１は、使用者によってレバー２３を握り込まれると、被結束物保持機構２５の被結束物保持部材５２によって結束空間１８の被結束物Ｏ１、Ｏ２をしっかりと押さえ込む。
【００７５】
また、図１２に示すように、本実施形態に係るテープ結束機１は、使用者によってレバー２３が完全に握り込まれると、電動機４６を駆動させてテープ結束回転部１３を自動的に回転させる。このとき、粘着テープ２に刺さっていたテープ配置針８８は、粘着テープ２から抜け出し、または粘着テープ２の先端部分を破って粘着テープ２を開放する。また、回転するテープ結束回転部１３は、テープ押圧部３９によって粘着テープ２を押圧しつつ被結束物Ｏ１、Ｏ２の周囲に粘着テープ２を巻き付ける。
【００７６】
図１３に示すように、本実施形態に係るテープ結束機１は、粘着テープ２を被結束物Ｏ１、Ｏ２に予め定める回転回数Ｎ巻き付けて、テープ結束回転部１３の回転を完了させる。この時点では、被結束物Ｏ１、Ｏ２に巻き付けられた粘着テープ２は、未だテープロール１６に繋がっている。
【００７７】
次いで、図１４に示すように、本実施形態に係るテープ結束機１は、使用者によって被結束物Ｏ１、Ｏ２を開口２９の出入口側へ運ばれる。このとき、テープ押圧部３９は、撓みの開放された自由状態に戻る。
【００７８】
次いで、図１５に示すように、本実施形態に係るテープ結束機１は、使用者によって被結束物Ｏ１、Ｏ２を開口２９の出入口へ運ばれる。このとき、開口２９の出入口では、被結束物Ｏ１、Ｏ２におされて開口２９の外側へ倒れ込み、被結束物出入検知片４１に連動して案内レバー７９も開口２９へ向かって揺動する。案内レバー７９の揺動は、切断歯支持レバー８１のヘッド部８６を開口２９内へ導いて、切断歯８２およびテープ配置針８８を粘着テープ２へと突き立てる。
【００７９】
次いで、図１６に示すように、本実施形態に係るテープ結束機１は、切断歯８２で粘着テープ２を切断し、この切断による粘着テープ２の新たな先端部にテープ配置針８８を差し込む。このとき、テープ引出機構８９の支柱９１、９２の間には、案内レバー７９の先端部が侵入する。案内レバー７９の先端部は、支柱９１、９２の間に跨がる粘着テープ２を押してテープロール１６から粘着テープ２を引き出す。
【００８０】
次いで、図１７に示すように、本実施形態に係るテープ結束機１は、使用者によって被結束物Ｏ１、Ｏ２を開口２９の外側へ運ばれる。そうすると、復帰バネ８５に蓄えたれた歪みエネルギーは、被結束物出入検知片４１、案内レバー７９、および切断歯支持レバー８１を収納位置へと移動させ、図１８に示すような結束前の準備状態に戻って後続の被結束物Ｏ１、Ｏ２の結束を待機する。
【００８１】
本実施形態に係るテープ結束機１は、テープ結束回転部１３を回転駆動させる電動機４６を備えることによって、粘着テープ２を自動で巻き付けられて作業性が良い。
【００８２】
また、本実施形態に係るテープ結束機１は、本体部１１と電源部２７とを可撓な電源線２６で接続することによって、電動機４６の動力源を備えつつ作業性を損なわないよう軽快に扱うことができる。
【００８３】
さらに、本実施形態に係るテープ結束機１は、レバー２３に連動して結束空間１８に配置される被結束物Ｏ１、Ｏ２が回転体１９から離脱することを阻止し、また被結束物Ｏ１、Ｏ２を開放して回転体１９から離脱することを許可する被結束物保持機構２５を備えることによって、例えば本体部１１を上に向けたり、横に向けたり、下に向けたりする様々な使用態様において被結束物Ｏ１、Ｏ２を確実に結束できる。
【００８４】
さらにまた、本実施形態に係るテープ結束機１は、テープ押圧部３９を備えることによって、粘着テープ２を被結束物Ｏ１、Ｏ２にしっかりと貼り付けて確実に結束することができる。
【００８５】
また、本実施形態に係るテープ結束機１は、被結束物出入検知片４１に連動するテープ切断機構７７を備えることによって、テープ結束機１から結束された被結束物Ｏ１、Ｏ２を取り出す一つの動作で粘着テープ２の切断を同時に行い、利便性を高められる。
【００８６】
さらに、本実施形態に係るテープ結束機１は、テープ配置針８８を備えることによって、テープ結束機１から結束された被結束物Ｏ１、Ｏ２を取り出す一つの動作で粘着テープ２の切断に加えて後続の作業準備を整えられる。
【００８７】
さらにまた、本実施形態に係るテープ結束機１は、連結バネ４５を備えることによって、多様な被結束物Ｏ１、Ｏ２を確実に結束できる。
【００８８】
また、本実施形態に係るテープ結束機１は、動力伝達機構４８を備えることによって、テープ結束回転部１３を確実に回転させて被結束物Ｏ１、Ｏ２を結束できる。
【００８９】
さらに、本実施形態に係るテープ結束機１は、把持部１２側に引き込まれたレバー２３によって電動機４６への給電を開始する開閉器４７を備えるため、被結束物保持機構２５による被結束物Ｏ１、Ｏ２の確実な保持と、テープ結束回転部１３による被結束物Ｏ１、Ｏ２の結束を連動させることができる。
【００９０】
さらにまた、本実施形態に係るテープ結束機１は、テープ結束回転部１３の回転を検知する回転検知部４９と、回転検知部４９の検知結果に基づいて電源部２７から電動機４６への給電を遮断する制御部７３と、を備えることによって、任意の巻き回数Ｎで粘着テープ２を被結束物Ｏ１、Ｏ２に巻き付けて結束できる。
【００９１】
また、本実施形態に係るテープ結束機１は、紙、生分解性樹脂、または非生分解性樹脂を基材とする多様な粘着テープ２を利用できるので、果樹園や畑でテープ結束機１を利用する場合には、土中環境への影響を考慮して紙、または生分解性樹脂を基材とする粘着テープ２を適宜選択できる。
【００９２】
したがって、本実施形態に係るテープ結束機１によれば、可搬型で軽量、かつ被結束物を確実に結束できる構造を備えて、屋外で多様な被結束物を容易に結束できる。
【符号の説明】
【００９３】
１  テープ結束機
２  粘着テープ
１１  本体部
１１ａ、１１ｂ  本体半体
１１ｃ  凹部
１２  把持部
１３  テープ結束回転部
１６  テープロール
１７  テープロール保持部
１８  結束空間
１９  回転体
２３  レバー
２５  被結束物保持機構
２６  電源線
２７  電源部
２８  切欠部
２９  開口
３１  ハウジング
３２、３３  カバー
３５  隙間
３６  案内爪
３７  吊下具
３８  主電源開閉器
３９  テープ押圧部
４１  被結束物出入検知片
４５  連結バネ
４６  電動機
４７  開閉器
４８  動力伝達機構
４９  回転検知部
５１  支持軸
５２  被結束物保持部材
５３  第一連結軸
５５  第一連結棒
５６  第二連結棒
５７  第二連結軸
５８  スリーブ
５９  レバー軸
６１  第一傘歯車
６２  第二傘歯車
６３  第一駆動歯車
６５  第一滑車
６６  ベルト
６７  第二滑車
６８  第二駆動歯車
６９  歯車対
７１  磁石
７２  磁気センサ
７３  制御部
７５  スイッチング素子
７７  テープ切断機構
７８  軸部
７９  案内レバー
８１  切断歯支持レバー
８２  切断歯
８３  軸部
８５  復帰バネ
８６  ヘッド部
８７  バネ
８８  テープ配置針
８９  テープ引出機構
９１、９２  支柱
９３  バネ座
【図１】
2015189475.tif 000003
【図２】
2015189475.tif 000004
【図３】
2015189475.tif 000005
【図４】
2015189475.tif 000006
【図５】
2015189475.tif 000007
【図６】
2015189475.tif 000008
【図７】
2015189475.tif 000009
【図８】
2015189475.tif 000010
【図９】
2015189475.tif 000011
【図１０】
2015189475.tif 000012
【図１１】
2015189475.tif 000013
【図１２】
2015189475.tif 000014
【図１３】
2015189475.tif 000015
【図１４】
2015189475.tif 000016
【図１５】
2015189475.tif 000017
【図１６】
2015189475.tif 000018
【図１７】
2015189475.tif 000019
【図１８】
2015189475.tif 000020